(57)【要約】【課題】複数の記録層を有する光ディスクを含む複数種類の光ディスクに対応可能な光ディスク装置の小型化を促進する。【解決手段】第２光束（波長λ2）に対応し２つの記録層（Ｍ0b、Ｍ1b）を有する光ディスク１５ｂにおける記録層の間隔ｔ2が、中間層ＭＬbの屈折率ｎ2、対物レンズの第１光束（波長λ1）に対する開口数ＮＡ1及び第２光束に対する開口数ＮＡ2、第１光束に対応し２つの記録層を有する光ディスク１５ａにおける記録層の間隔ｔ1の最小値ｔ1min及び最大値ｔ1max、中間層ＭＬrの屈折率ｎ1を用いて、【数１】2005158163.tif 000025の関係を満足するように設定する。【選択図】図２
2005158163.tif 000002
【特許請求の範囲】
【請求項１】
波長λ1の第１光束を出射する光源と、波長λ2の第２光束を出射する光源と、各光源から出射される光束を光ディスクの記録層に集光する対物レンズとを備える光ディスク装置に用いられ、前記第２光束に対応し第１記録層と第２記録層とを有する光ディスクであって、
前記第１記録層と前記第２記録層との間隔ｔ2が、前記第１光束に対する前記対物レンズの開口数ＮＡ1、前記第２光束に対する前記対物レンズの開口数ＮＡ2、前記第１光束に対応し２つの記録層を有する第１の光ディスクにおける記録層の最小間隔ｔ1min及び最大間隔ｔ1max、前記第１の光ディスクにおける２つの記録層に挟まれた中間層の屈折率ｎ1、及び前記第１記録層と前記第２記録層とに挟まれた中間層の屈折率ｎ2を用いて、
【数１】
2005158163.tif 000021
の関係を満足する光ディスク。
【請求項２】
波長λ1の第１光束を出射する光源と、波長λ2の第２光束を出射する光源と、各光源から出射される光束を光ディスクの記録層に集光する対物レンズとを備える光ディスク装置に用いられ、前記第２光束に対応し第１記録層と第２記録層とを有する光ディスクであって、
前記第１記録層と前記第２記録層との平均間隔Ｔ2が、前記第１光束に対する前記対物レンズの開口数ＮＡ1、前記第２光束に対する前記対物レンズの開口数ＮＡ2、前記第１光束に対応し２つの記録層を有する第１の光ディスクにおける記録層の平均間隔Ｔ1、前記第１の光ディスクにおける２つの記録層に挟まれた中間層の屈折率ｎ1、及び前記第１記録層と前記第２記録層とに挟まれた中間層の屈折率ｎ2を用いて、
【数２】
2005158163.tif 000022
で示される光ディスク。
【請求項３】
前記第１記録層から基板表面までの距離と前記第２記録層から基板表面までの距離の平均値が、前記第１光束又は前記第２光束に対応し１つの記録層を有する第２の光ディスクにおける記録層から基板表面までの距離とほぼ等しいことを特徴とする請求項１又は２に記載の光ディスク。
【請求項４】
波長λ1の第１光束を出射する光源と、波長λ2の第２光束を出射する光源と、各光源から出射される光束を光ディスクの記録層に集光する対物レンズとを備える光ディスク装置に用いられ、前記第２光束に対応し第１記録層と第２記録層とを有する光ディスクであって、
前記第１記録層と前記第２記録層との間隔ｔ2が、前記第１光束に対する前記対物レンズの開口数ＮＡ1、前記第２光束に対する前記対物レンズの開口数ＮＡ2、前記第１光束に対応し２つの記録層を有する第１の光ディスクにおける記録層の最小間隔ｔ1min及び最大間隔ｔ1max、前記第１の光ディスクにおける２つの記録層に挟まれた中間層の屈折率ｎ1、及び前記第１記録層と前記第２記録層とに挟まれた中間層の屈折率ｎ2を用いて、
【数３】
2005158163.tif 000023
の関係を満足し、前記第１記録層から基板表面までの距離又は前記第２記録層から基板表面までの距離が、前記第２光束に対応し１つの記録層を有する第２の光ディスクにおける記録層から基板表面までの距離とほぼ等しい光ディスク。
【請求項５】
波長λ1の第１光束を出射する光源と、波長λ2の第２光束を出射する光源と、各光源から出射される光束を光ディスクの記録層に集光する対物レンズとを備える光ディスク装置に用いられ、前記第２光束に対応し第１記録層と第２記録層とを有する光ディスクであって、
前記第１記録層と前記第２記録層との平均間隔Ｔ2が、前記第１光束に対する前記対物レンズの開口数ＮＡ1、前記第２光束に対する前記対物レンズの開口数ＮＡ2、前記第１光束に対応し２つの記録層を有する第１の光ディスクにおける記録層の平均間隔Ｔ1、前記第１の光ディスクにおける２つの記録層に挟まれた中間層の屈折率ｎ1、及び前記第１記録層と前記第２記録層とに挟まれた中間層の屈折率ｎ2を用いて、
【数４】
2005158163.tif 000024
で示され、前記第１記録層から基板表面までの距離又は前記第２記録層から基板表面までの距離が、前記第２光束に対応し１つの記録層を有する第２の光ディスクにおける記録層から基板表面までの距離とほぼ等しい光ディスク。
【請求項６】
請求項１〜５のいずれか一項に記載の光ディスクを含む複数種類の光ディスクに対して情報の記録、再生及び消去のうち少なくとも再生を行なう光ディスク装置であって、
前記複数種類の光ディスクに個別に対応して設けられ、いずれかの前記光ディスクに応じた波長の光束をそれぞれ出射する複数の光源と；
前記光源から出射された光束を前記光ディスクの対象となる記録層に集光する対物レンズを含み、前記対象となる記録層で反射された戻り光束を所定の受光位置まで導く光学系と；
前記受光位置に配置され、前記戻り光束を受光する光検出器と；
前記光ディスクの種類及び前記対象となる記録層に応じて前記対物レンズに入射する光束の発散状態を切り換える切換手段と；
前記光検出器の出力信号を用いて、前記情報の記録、再生及び消去のうち少なくとも再生を行なう処理装置と；を備える光ディスク装置。
【発明の詳細な説明】
【技術分野】
【０００１】
本発明は、光ディスク及び光ディスク装置に係り、さらに詳しくは、複数の記録層を有する光ディスク、及び該光ディスクを含む複数種類の光ディスクに対して情報の記録、再生及び消去のうち少なくとも再生を行なう光ディスク装置に関する。
【背景技術】
【０００２】
近年、デジタル技術の進歩及びデータ圧縮技術の向上に伴い、音楽、映画、写真及びコンピュータソフトなどの情報（以下「コンテンツ」ともいう）を記録するための媒体として、ＤＶＤ（digital versatile disc）などの光ディスクが注目されるようになり、その低価格化とともに、光ディスクを情報記録の対象媒体とする光ディスク装置が普及するようになった。
【０００３】
ところで、コンテンツの情報量は、年々増加する傾向にあり、光ディスクにおける記録容量の更なる増加が期待されている。そして、光ディスクの記録容量を増加させる手段として、記録層の多層化及び記録密度の向上が考えられる。
【０００４】
記録層の多層化については、複数の記録層を有する光ディスク（以下「多層ディスク」ともいう）及び該多層ディスクをアクセス対象とする装置の開発が盛んに行われている（例えば、特許文献１参照）。例えば一方から光束が照射される、いわゆる片面多層ディスクでは、ディスクを途中で裏返すことなく情報の記録及び再生などが可能であるが、ディスク内における光束の透過距離が記録層毎に異なるために、記録層毎に光スポットの波面収差（特に球面収差成分）が異なることとなる。そこで、その球面収差成分を補正する種々の装置が提案されている（例えば、特許文献２及び特許文献３参照）。
【０００５】
また、前記記録密度の向上については、光ディスクに照射する光束の波長を短くし、記録層に形成される光スポットの大きさ（スポット径）を小さくすることが検討され、波長が約６６０ｎｍの光束に対応する現在のＤＶＤ（以下「赤色ＤＶＤ」ともいう）よりも短波長である約４０５ｎｍの光束に対応する次世代ＤＶＤ（以下「青色ＤＶＤ」ともいう）の開発及び規格化が精力的に行なわれている。そして、この青色ＤＶＤにおいても、記録層の多層化が検討されている。
【０００６】
ところで、パソコンなどの情報関連機器は小型化の方向に進んでおり、それに伴って光ディスク装置においても、赤色ＤＶＤの多層ディスク及び青色ＤＶＤの多層ディスクのいずれにも対応できることが将来必須となることが予想される。しかしながら、特許文献２及び特許文献３に開示されている装置と同様にして前記球面収差成分を補正すると、波長毎及び記録層毎に補正条件を設定する必要があるため、補正回路が複雑化するとともに処理プログラムなどを格納するのに必要なメモリ容量が増大し、光ディスク装置の小型化が困難になる。
【０００７】
【特許文献１】特開平０８−０９６４０６号公報
【特許文献２】特開平０５−２６６５１１号公報
【特許文献３】特開平１０−２６９６１１号公報
【発明の開示】
【発明が解決しようとする課題】
【０００８】
本発明は、かかる事情の下になされたもので、その第１の目的は、複数の記録層を有する光ディスクを含む複数種類の光ディスクに対応可能な光ディスク装置の小型化を促進することができる光ディスクを提供することにある。
【０００９】
また、本発明の第２の目的は、大型化を招くことなく、複数の記録層を有する光ディスクを含む複数種類の光ディスクへのアクセスを精度良く安定して行うことができる光ディスク装置を提供することにある。
【課題を解決するための手段】
【００１０】
請求項１に記載の発明は、波長λ1の第１光束を出射する光源と、波長λ2の第２光束を出射する光源と、各光源から出射される光束を光ディスクの記録層に集光する対物レンズとを備える光ディスク装置に用いられ、前記第２光束に対応し第１記録層と第２記録層を有する光ディスクであって、前記第１記録層と前記第２記録層との間隔ｔ2が、前記第１光束に対する前記対物レンズの開口数ＮＡ1、前記第２光束に対する前記対物レンズの開口数ＮＡ2、前記第１光束に対応し２つの記録層を有する第１の光ディスクにおける記録層の最小間隔ｔ1min及び最大間隔ｔ1max、前記第１の光ディスクにおける２つの記録層に挟まれた中間層の屈折率ｎ1、及び前記第１記録層と前記第２記録層とに挟まれた中間層の屈折率ｎ2を用いて、
【００１１】
【数１】
2005158163.tif 000003
の関係を満足する光ディスクである。
【００１２】
これによれば、第１の光ディスクを対象媒体とする光ディスク装置に用いられると、第１記録層及び第２記録層での球面収差をそれぞれ第１の光ディスクのときと同じ条件で補正することができるため、光ディスク装置では、球面収差を補正する回路及び処理を第１の光ディスクと共通化することが可能となる。従って、複数の記録層を有する光ディスクを含む複数種類の光ディスクに対応する光ディスク装置の小型化を促進することができる。
【００１３】
請求項２に記載の発明は、波長λ1の第１光束を出射する光源と、波長λ2の第２光束を出射する光源と、各光源から出射される光束を光ディスクの記録層に集光する対物レンズとを備える光ディスク装置に用いられ、前記第２光束に対応し第１記録層と第２記録層を有する光ディスクであって、前記第１記録層と前記第２記録層との平均間隔Ｔ2が、前記第１光束に対する前記対物レンズの開口数ＮＡ1、前記第２光束に対する前記対物レンズの開口数ＮＡ2、前記第１光束に対応し２つの記録層を有する第１の光ディスクにおける記録層の平均間隔Ｔ1、前記第１の光ディスクにおける２つの記録層に挟まれた中間層の屈折率ｎ1、及び前記第１記録層と前記第２記録層とに挟まれた中間層の屈折率ｎ2を用いて、
【００１４】
【数２】
2005158163.tif 000004
で示される光ディスクである。
【００１５】
これによれば、第１の光ディスクを対象媒体とする光ディスク装置に用いられると、第１記録層及び第２記録層での球面収差をそれぞれ第１の光ディスクのときと同じ条件で補正することができるため、光ディスク装置では、球面収差を補正する回路及び処理を第１の光ディスクと共通化することが可能となる。従って、複数の記録層を有する光ディスクを含む複数種類の光ディスクに対応する光ディスク装置の小型化を促進することができる。
【００１６】
上記請求項１及び２に記載の各光ディスクにおいて、請求項３に記載の光ディスクの如く、前記第１記録層から基板表面までの距離と前記第２記録層から基板表面までの距離の平均値が、前記第１光束又は前記第２光束に対応し１つの記録層を有する第２の光ディスクにおける記録層から基板表面までの距離とほぼ等しいこととすることができる。
【００１７】
請求項４に記載の発明は、波長λ1の第１光束を出射する光源と、波長λ2の第２光束を出射する光源と、各光源から出射される光束を光ディスクの記録層に集光する対物レンズとを備える光ディスク装置に用いられ、前記第２光束に対応し第１記録層と第２記録層を有する光ディスクであって、前記第１記録層と前記第２記録層との間隔ｔ2が、前記第１光束に対する前記対物レンズの開口数ＮＡ1、前記第２光束に対する前記対物レンズの開口数ＮＡ2、前記第１光束に対応し２つの記録層を有する第１の光ディスクにおける記録層の最小間隔ｔ1min及び最大間隔ｔ1max、前記第１の光ディスクにおける２つの記録層に挟まれた中間層の屈折率ｎ1、及び前記第１記録層と前記第２記録層とに挟まれた中間層の屈折率ｎ2を用いて、
【００１８】
【数３】
2005158163.tif 000005
の関係を満足し、前記第１記録層から基板表面までの距離又は前記第２記録層から基板表面までの距離が、前記第２光束に対応し１つの記録層を有する第２の光ディスクにおける記録層から基板表面までの距離とほぼ等しい光ディスクである。
【００１９】
これによれば、第１の光ディスク及び第２の光ディスクを対象媒体とする光ディスク装置に用いられると、該光ディスク装置では、球面収差を補正する回路及び処理を追加することなく、第１記録層及び第２記録層での球面収差をそれぞれ第１の光ディスクのときと同様にして補正することができる。従って、複数の記録層を有する光ディスクを含む複数種類の光ディスクに対応する光ディスク装置の小型化を促進することができる。
【００２０】
請求項５に記載の発明は、波長λ1の第１光束を出射する光源と、波長λ2の第２光束を出射する光源と、各光源から出射される光束を光ディスクの記録層に集光する対物レンズとを備える光ディスク装置に用いられ、前記第２光束に対応し第１記録層と第２記録層を有する光ディスクであって、前記第１記録層と前記第２記録層との平均間隔Ｔ2が、前記第１光束に対する前記対物レンズの開口数ＮＡ1、前記第２光束に対する前記対物レンズの開口数ＮＡ2、前記第１光束に対応し２つの記録層を有する第１の光ディスクにおける記録層の平均間隔Ｔ1、前記第１の光ディスクにおける２つの記録層に挟まれた中間層の屈折率ｎ1、及び前記第１記録層と前記第２記録層とに挟まれた中間層の屈折率ｎ2を用いて、
【００２１】
【数４】
2005158163.tif 000006
で示され、前記第１記録層から基板表面までの距離又は前記第２記録層から基板表面までの距離が、前記第２光束に対応し１つの記録層を有する第２の光ディスクにおける記録層から基板表面までの距離とほぼ等しい光ディスクである。
【００２２】
これによれば、第１の光ディスク及び第２の光ディスクを対象媒体とする光ディスク装置に用いられると、該光ディスク装置では、球面収差を補正する回路及び処理を追加することなく、第１記録層及び第２記録層での球面収差をそれぞれ第１の光ディスクのときと同様にして補正することができる。従って、複数の記録層を有する光ディスクを含む複数種類の光ディスクに対応する光ディスク装置の小型化を促進することができる。
【００２３】
請求項６に記載の発明は、請求項１〜５のいずれか一項に記載の光ディスクを含む複数種類の光ディスクに対して情報の記録、再生及び消去のうち少なくとも再生を行なう光ディスク装置であって、前記複数種類の光ディスクに個別に対応して設けられ、いずれかの前記光ディスクに応じた波長の光束をそれぞれ出射する複数の光源と；前記光源から出射された光束を前記光ディスクの対象となる記録層に集光する対物レンズを含み、前記対象となる記録層で反射された戻り光束を所定の受光位置まで導く光学系と；前記受光位置に配置され、前記戻り光束を受光する光検出器と；前記光ディスクの種類及び前記対象となる記録層に応じて前記対物レンズに入射する光束の発散状態を切り換える切換手段と；前記光検出器の出力信号を用いて、前記情報の記録、再生及び消去のうち少なくとも再生を行なう処理装置と；を備える光ディスク装置である。
【００２４】
これによれば、再生などの光ディスクへのアクセスに先立って、光ディスクの種類及び対象となる記録層に応じて、該記録層での球面収差が許容範囲内となるように対物レンズに入射する光束の発散状態が切換手段により切り換えられる。この場合に、例えば対象となる記録層が請求項１〜５のいずれか一項に記載の光ディスクの第１記録層又は第２記録層の場合に、第１の光ディスクのときと同様にして発散状態を切り換えることができるため、切換手段が複雑化するのを抑制することが可能となる。従って、結果として大型化を招くことなく、複数の記録層を有する光ディスクを含む複数種類の光ディスクへのアクセスを精度良く安定して行うことができる。
【発明を実施するための最良の形態】
【００２５】
以下、本発明の一実施形態を図１〜図６（Ｃ）に基づいて説明する。図１には、本発明の一実施形態に係る光ディスク装置２０の概略構成が示されている。
【００２６】
この図１に示される光ディスク装置２０は、光ディスク１５を回転駆動するスピンドルモータ２２、光ピックアップ装置２３、該光ピックアップ装置２３をスレッジ方向に駆動するシークモータ２１、レーザ制御回路２４、エンコーダ２５、モータ制御回路２６、サーボ制御回路２７、再生信号処理回路２８、バッファＲＡＭ３４、バッファマネージャ３７、インターフェース３８、フラッシュメモリ３９、ＣＰＵ４０及びＲＡＭ４１などを備えている。なお、図１における接続線は、代表的な信号や情報の流れを示すものであり、各ブロックの接続関係の全てを表すものではない。
【００２７】
また、この光ディスク装置２０は、本実施形態では一例として、本発明の一実施形態に係る光ディスクとしての２つの記録層を有する青色ＤＶＤ（以下「片面２層青色ＤＶＤ」ともいう）、第１の光ディスクとしての２つの記録層を有する赤色ＤＶＤ（以下「片面２層赤色ＤＶＤ」ともいう）、第２の光ディスクとしての１つの記録層を有する青色ＤＶＤ（以下「１層青色ＤＶＤ」ともいう）、及び１つの記録層を有する赤色ＤＶＤ（以下「１層赤色ＤＶＤ」ともいう）の４種類の光ディスクに対応しているものとする。すなわち、光ディスク１５として、上記４種類の光ディスクのうちのいずれかがマウントされる。
【００２８】
前記片面２層赤色ＤＶＤ（１５ａとする）は、一例として図２（Ａ）に示されるように、光ピックアップ装置２３に近いほうから順に、第１基板Ｌ02r、第１記録層Ｍ0r、中間層ＭＬr、第２記録層Ｍ1r、第２基板Ｌ12rなどを有している。また、第１記録層Ｍ0rと中間層ＭＬrとの間にはシリコン、銀、アルミニウムなどで形成された半透過膜があり、第２記録層Ｍ1rと第２基板Ｌ12rとの間には銀、アルミニウムなどで形成された金属反射膜がある。以下では、前記第１記録層Ｍ0rから前記第１基板Ｌ02rの表面までの距離（すなわち前記第１基板Ｌ02rの厚さ）をｄ01、前記第１記録層Ｍ0rと前記第２記録層Ｍ1rの間隔（すなわち中間層ＭＬrの厚さ）をｔ1、前記第２記録層Ｍ1rから前記第１基板Ｌ02rの表面までの距離をｄ11とする。
【００２９】
前記片面２層青色ＤＶＤ（１５ｂとする）は、一例として図２（Ｂ）に示されるように、光ピックアップ装置２３に近いほうから順に、第１基板Ｌ02b、第１記録層Ｍ0b、中間層ＭＬb、第２記録層Ｍ1b、第２基板Ｌ12bなどを有している。また、第１記録層Ｍ0bと中間層ＭＬbとの間にはシリコン、銀、アルミニウムなどで形成された半透過膜があり、第２記録層Ｍ1bと第２基板Ｌ12bとの間には銀、アルミニウムなどで形成された金属反射膜がある。以下では、前記第１記録層Ｍ0bから前記第１基板Ｌ02bの表面までの距離（すなわち前記第１基板Ｌ02bの厚さ）をｄ02、前記第１記録層Ｍ0bと前記第２記録層Ｍ1bの間隔（すなわち中間層ＭＬbの厚さ）をｔ2、前記第２記録層Ｍ1bから前記第１基板Ｌ02bの表面までの距離をｄ12とする。なお、中間層ＭＬbの厚さｔ2については後述する。
【００３０】
前記１層赤色ＤＶＤ（１５ｃとする）は、一例として図３（Ａ）に示されるように、光ピックアップ装置２３に近いほうから順に、第１基板Ｌ01r、記録層Ｍr及び第２基板Ｌ11rなどを有している。また、記録層Ｍrと第２基板Ｌ11rとの間には金属反射膜がある。以下では、前記記録層Ｍrから前記第１基板Ｌ01rの表面までの距離（すなわち前記第１基板Ｌ01rの厚さ）をｄ1とする。
【００３１】
前記１層青色ＤＶＤ（１５ｄとする）は、一例として図３（Ｂ）に示されるように、光ピックアップ装置２３に近いほうから順に、第１基板Ｌ01b、記録層Ｍb及び第２基板Ｌ11bなどを有している。また、記録層Ｍbと第２基板Ｌ11bとの間には金属反射膜がある。以下では、前記記録層Ｍbから前記第１基板Ｌ01bの表面までの距離（すなわち第１基板Ｌ01bの厚さ）をｄ2とする。
【００３２】
前記光ピックアップ装置２３は、光ディスク１５におけるアクセスの対象となる記録層（以下「対象記録層」と略述する）にレーザ光を照射するとともに、その対象記録層からの反射光を受光するための装置である。この光ピックアップ装置２３は、一例として図４に示されるように、光源ＬＤ１、ホログラムユニットＨＵ、２つのカップリングレンズ（５２ａ、５２ｂ）、２つのビームスプリッタ（５４ａ、５４ｂ）、ビームエキスパンダ５６、絞り５７、対物レンズ６０、検出レンズ５８、受光器ＰＤ１、及び駆動系（フォーカシングアクチュエータ及びトラッキングアクチュエータ（いずれも図示省略））などを備えている。なお、本実施形態では、一例として、１層赤色ＤＶＤ１５ｃ及び片面２層赤色ＤＶＤ１５ａにはＤＶＤ＋Ｒ又はＤＶＤ＋ＲＷの規格に準拠する光ディスクが用いられるものとする。
【００３３】
前記光源ＬＤ１は、第１光束としての波長が約６６０ｎｍのレーザ光（以下「赤色ＤＶＤ用光束」ともいう）を出射する半導体レーザである。この光源ＬＤ１は、光ディスク１５が片面２層赤色ＤＶＤ１５ａ又は１層赤色ＤＶＤ１５ｃのときに用いられる。なお、光源ＬＤ１から出射される赤色ＤＶＤ用光束の最大強度出射方向を＋Ｘ方向とする。光源ＬＤ１の＋Ｘ側には前記カップリングレンズ５２ａが配置され、光源ＬＤ１から出射された赤色ＤＶＤ用光束を略平行光とする。カップリングレンズ５２ａの＋Ｘ側には前記ビームスプリッタ５４ａが配置されている。このビームスプリッタ５４ａは、カップリングレンズ５２ａからの赤色ＤＶＤ用光束を透過させ、かつ光ディスク１５（片面２層赤色ＤＶＤ１５ａ又は１層赤色ＤＶＤ１５ｃ）の対象記録層で反射した赤色ＤＶＤ用光束の戻り光束（以下「赤色ＤＶＤ用戻り光束」ともいう）を−Ｚ方向に分岐する。
【００３４】
前記ホログラムユニットＨＵは、第２光束としての波長が約４０５ｎｍのレーザ光（以下「青色ＤＶＤ用光束」ともいう）を出射する光源ＬＤ２、受光器ＰＤ２、及びホログラム５３などを有している。前記光源ＬＤ２は、光ディスク１５が片面２層青色ＤＶＤ１５ｂ又は１層青色ＤＶＤ１５ｄのときに用いられる。なお、ホログラムユニットＨＵは、光源ＬＤ２から出射される青色ＤＶＤ用光束の最大強度出射方向が＋Ｚ方向となるように配置されている。ホログラムユニットＨＵの＋Ｚ側には前記カップリングレンズ５２ｂが配置され、光源ＬＤ２から出射されホログラム５３を透過した青色ＤＶＤ用光束を略平行光とする。ホログラム５３は、光ディスク１５（片面２層青色ＤＶＤ１５ｂ又は１層青色ＤＶＤ１５ｄ）の対象記録層で反射した青色ＤＶＤ用光束の戻り光束（以下「青色ＤＶＤ用戻り光束」ともいう）を受光器ＰＤ２の受光面方向に回折する。
【００３５】
前記ビームスプリッタ５４ｂは、ビームスプリッタ５４ａの＋Ｘ側で、かつカップリングレンズ５２ｂの＋Ｚ側に配置されている。このビームスプリッタ５４ｂは、ビームスプリッタ５４ａからの赤色ＤＶＤ用光束を透過させ、かつカップリングレンズ５２ｂからの青色ＤＶＤ用光束を＋Ｘ方向に分岐する。また、ビームスプリッタ５４ｂは、青色ＤＶＤ用戻り光束を−Ｚ方向に分岐し、かつ赤色ＤＶＤ用戻り光束を透過させる。
【００３６】
前記ビームエキスパンダ５６は、ビームスプリッタ５４ｂの＋Ｘ側に配置され、凹レンズ５６ａと、凸レンズ５６ｂと、両レンズの少なくとも一方を駆動し両レンズの間隔を変更する不図示のレンズ駆動装置とを含んでいる。両レンズの間隔が狭くなると凸レンズ５６ｂからの光束は発散光となり、両レンズの間隔が広くなると凸レンズ５６ｂからの光束は収束光となる。なお、ここでは、両レンズの間隔がｄbのときに凸レンズ５６ｂからの光束が略平行光となるように設定されている（図６（Ｂ）参照）。
【００３７】
ビームエキスパンダ５６の＋Ｘ側には前記絞り５７が配置され、ビームエキスパンダ５６からの光束のビーム径を制限する。本実施形態では一例として、絞り５７は、赤色ＤＶＤ用光束及び青色ＤＶＤ用光束のいずれに対しても前記対物レンズ６０の開口数が０．６５となるように設定されている。絞り５７の＋Ｘ側には、前記対物レンズ６０が配置され、絞り５７を通過した光束を光ディスク１５の対象記録層に集光する。
【００３８】
前記集光レンズ５８は、ビームスプリッタ５４ａの−Ｚ側に配置され、ビームスプリッタ５４ａで分岐された赤色ＤＶＤ用戻り光束を前記受光器ＰＤ１の受光面に集光する。
【００３９】
前記受光器ＰＤ１及び受光器ＰＤ２は、それぞれ複数の受光領域を有し、その受光領域毎に受光量に応じた信号（光電変換信号）をそれぞれ出力する。
【００４０】
すなわち、光源ＬＤ１から出射された赤色ＤＶＤ用光束は、カップリングレンズ５２ａ、ビームスプリッタ５４ａ、ビームスプリッタ５４ｂ、ビームエキスパンダ５６、絞り５７、及び対物レンズ６０を介して光ディスク１５（片面２層赤色ＤＶＤ１５ａ又は１層赤色ＤＶＤ１５ｃ）の対象記録層に集光される。光ディスク１５の対象記録層で反射した赤色ＤＶＤ用光束は、赤色ＤＶＤ用戻り光束として、対物レンズ６０、絞り５７、ビームエキスパンダ５６、ビームスプリッタ５４ｂ、ビームスプリッタ５４ａ、及び検出レンズ５８を介して受光器ＰＤ１で受光される。
【００４１】
一方、光源ＬＤ２から出射された青色ＤＶＤ用光束は、ホログラム５３、カップリングレンズ５２ｂ、ビームスプリッタ５４ｂ、ビームエキスパンダ５６、絞り５７、及び対物レンズ６０を介して光ディスク１５（片面２層青色ＤＶＤ１５ｂ又は１層青色ＤＶＤ１５ｄ）の対象記録層に集光される。光ディスク１５の対象記録層で反射した青色ＤＶＤ用光束は、青色ＤＶＤ用戻り光束として、対物レンズ６０、絞り５７、ビームエキスパンダ５６、ビームスプリッタ５４ｂ、カップリングレンズ５２ｂ、ホログラム５３を介して受光器ＰＤ２で受光される。
【００４２】
前記フォーカシングアクチュエータ（図示省略）は、対物レンズ６０の光軸方向であるフォーカス方向に対物レンズ６０を微少駆動するためのアクチュエータである。前記トラッキングアクチュエータ（図示省略）は、トラックの接線方向に直交する方向であるトラッキング方向に対物レンズ６０を微少駆動するためのアクチュエータである。
【００４３】
図１に戻り、前記再生信号処理回路２８は、Ｉ／Ｖアンプ２８ａ、サーボ信号検出回路２８ｂ、ウォブル信号検出回路２８ｃ、ＲＦ信号検出回路２８ｄ、及びデコーダ２８ｅなどから構成されている。
【００４４】
前記Ｉ／Ｖアンプ２８ａは、受光器ＰＤ１及び受光器ＰＤ２の各出力信号をそれぞれ電圧信号に変換するとともに、所定のゲインで増幅する。
【００４５】
前記サーボ信号検出回路２８ｂは、Ｉ／Ｖアンプ２８ａの出力信号に基づいてフォーカスエラー信号及びトラックエラー信号などのサーボ信号を検出する。ここで検出されたサーボ信号は前記サーボ制御回路２７に出力される。
【００４６】
前記ウォブル信号検出回路２８ｃは、Ｉ／Ｖアンプ２８ａの出力信号に基づいてウォブル信号を検出する。前記ＲＦ信号検出回路２８ｄは、Ｉ／Ｖアンプ２８ａの出力信号に基づいてＲＦ信号を検出する。前記デコーダ２８ｅは前記ウォブル信号からアドレス情報及び同期信号などを抽出する。ここで抽出されたアドレス情報はＣＰＵ４０に出力され、同期信号はエンコーダ２５に出力される。また、デコーダ２８ｅは前記ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００４７】
前記サーボ制御回路２７は、ＦＣコントローラ２７ａ、ＴＲコントローラ２７ｂ、ＡＣＴドライバ２７ｃ、ＳＡコントローラ２７ｄ、及びＳＡドライバ２７ｅなどを有している。
【００４８】
前記ＦＣコントローラ２７ａは、前記フォーカスエラー信号に基づいてフォーカスずれを補正するためのフォーカス制御信号を生成する。前記ＴＲコントローラ２７ｂは、前記トラックエラー信号に基づいてトラックずれを補正するためのトラッキング制御信号を生成する。ここで生成されたフォーカス制御信号及びトラッキング制御信号は、それぞれＡＣＴドライバ２７ｃに出力される。
【００４９】
前記ＡＣＴドライバ２７ｃは、前記フォーカス制御信号に応じてフォーカシングアクチュエータの駆動信号を光ピックアップ装置２３に出力し、前記トラッキング制御信号に応じてトラッキングアクチュエータの駆動信号を光ピックアップ装置２３に出力する。これにより、トラッキング制御及びフォーカス制御が行われる。
【００５０】
前記ＳＡコントローラ２７ｄは、ＣＰＵ４０からの後述する切換信号に基づいて前記エキスパンダ５６を構成する両レンズの間隔を制御するためのレンズ間隔制御信号を生成する。ここで生成されたレンズ間隔制御信号は前記ＳＡドライバ２７ｅに出力される。
【００５１】
前記ＳＡドライバ２７ｅは、前記レンズ間隔制御信号に応じて前記エキスパンダ５６を構成する不図示のレンズ駆動装置の駆動信号を光ピックアップ装置２３に出力する。本実施形態では、前記レンズ駆動装置の駆動信号として、予め設定されている３種類の駆動信号（駆動信号Ａ、駆動信号Ｂ、駆動信号Ｃとする）のうちのいずれかが出力される。
【００５２】
ここで、前記４種類の光ディスク（片面２層赤色ＤＶＤ１５ａ、片面２層青色ＤＶＤ１５ｂ、１層赤色ＤＶＤ１５ｃ、１層青色ＤＶＤ１５ｄ）の関係について説明する。
【００５３】
本実施形態では、前記４種類の光ディスクにおける基板は、それぞれ同じ材質（例えば、ポリカーボネート）であるものとする。そして、１層赤色ＤＶＤ１５ｃにおける第１基板Ｌ01rの厚さｄ1と１層青色ＤＶＤ１５ｄにおける第１基板Ｌ01bの厚さｄ2とは互いにほぼ同じであるものとする（図３（Ａ）及び図３（Ｂ）参照）。
【００５４】
また、片面２層赤色ＤＶＤ１５ａの各記録層と１層赤色ＤＶＤ１５ｃの記録層Ｍrには次の（１）式で示される関係があるものとする。前述したように、ｄ01は片面２層赤色ＤＶＤ１５ａにおける第１基板Ｌ02rの厚さ、ｔ1は片面２層赤色ＤＶＤ１５ａにおける中間層ＭＬrの厚さである。すなわち、第１記録層Ｍ0rから第１基板Ｌ02r表面までの距離と第２記録層Ｍ1rから第１基板Ｌ02r表面までの距離の平均値が、１層赤色ＤＶＤ１５ｃにおける記録層Ｍrから第１基板Ｌ01r表面までの距離とほぼ等しい。
（ｄ01＋ｄ11）／２≒ｄ1  ……（１）
【００５５】
さらに、片面２層青色ＤＶＤ１５ｂの各記録層と１層青色ＤＶＤ１５ｄの記録層には次の（２）式で示される関係があるものとする。前述したように、ｄ02は片面２層青色ＤＶＤ１５ｂにおける第１基板Ｌ02bの厚さであり、ｔ2は片面２層青色ＤＶＤ１５ｂにおける中間層ＭＬbの厚さである。すなわち、第１記録層Ｍ0bから第１基板Ｌ02b表面までの距離と第２記録層Ｍ1bから第１基板Ｌ02b表面までの距離の平均値が、１層青色ＤＶＤ１５dにおける記録層Ｍbから第１基板Ｌ01b表面までの距離とほぼ等しい。
（ｄ02＋d12）／２≒ｄ2  ……（２）
【００５６】
すなわち、対物レンズ６０の光軸方向に関して、片面２層赤色ＤＶＤ１５ａにおける第１記録層Ｍ0rと第２記録層Ｍ1rの中間位置は、１層赤色ＤＶＤ１５ｃにおける記録層Ｍrの位置とほぼ一致している。また、対物レンズ６０の光軸方向に関して、片面２層青色ＤＶＤ１５ｂにおける第１記録層Ｍ0bと第２記録層Ｍ1bの中間位置は、１層青色ＤＶＤ１５ｄにおける記録層Ｍbの位置とほぼ一致している。
【００５７】
次に、片面２層青色ＤＶＤ１５ｂにおける中間層ＭＬbの厚さｔ2について以下に説明する。
【００５８】
例えば、前記対物レンズ６０が、前記中間位置に対応する位置での波面収差が最小となるように設定されていると、片面２層赤色ＤＶＤ１５ａでは、第１記録層Ｍ0r及び第２記録層Ｍ1rでの球面収差（ΔＷ1とする）は、次の（３）式で示される。ここで、ｎ1は中間層ＭＬrの屈折率であり、ＮＡ1は赤色ＤＶＤ用光束に対する対物レンズ６０の開口数である。
【００５９】
【数５】
2005158163.tif 000007
【００６０】
同様に、片面２層青色ＤＶＤ１５ｂでは、第１記録層Ｍ0b及び第２記録層Ｍ1bでの球面収差（ΔＷ2とする）は、次の（４）式で示される。ここで、ｎ2は中間層ＭＬbの屈折率であり、ＮＡ2は青色ＤＶＤ用光束に対する対物レンズ６０の開口数である。
【００６１】
【数６】
2005158163.tif 000008
【００６２】
前記ビームエキスパンダ５６を構成する両レンズの間隔が同じであっても、光束の波長によって球面収差の状況は異なる。そこで、次の（５）式の関係が満たされれば、片面２層赤色ＤＶＤ１５ａの第１記録層Ｍ0rでの球面収差と片面２層青色ＤＶＤ１５ｂの第１記録層Ｍ0bでの球面収差を同量とすることができ、また、片面２層赤色ＤＶＤ１５ａの第２記録層Ｍ1rでの球面収差と片面２層青色ＤＶＤ１５ｂの第２記録層Ｍ1bでの球面収差を同量とすることができる。ここで、λ1は片面２層赤色ＤＶＤ１５ａに照射される光束の波長であり、λ2は片面２層青色ＤＶＤ１５ｂに照射される光束の波長である。
【００６３】
【数７】
2005158163.tif 000009
【００６４】
上記（５）式の関係に上記（３）式及び（４）式を代入すると、片面２層青色ＤＶＤ１５ｂの中間層ＭＬbの厚さｔ2と片面２層赤色ＤＶＤ１５ａの中間層ＭＬrの厚さｔ1との関係式として次の（６）式が得られる。
【００６５】
【数８】
2005158163.tif 000010
【００６６】
そこで、片面２層赤色ＤＶＤ１５ａの中間層ＭＬrの厚さにばらつきがあり、その最小値をｔ1min、最大値をｔ1maxとすると、片面２層青色ＤＶＤ１５ｂの中間層ＭＬbの厚さｔ2は次の（７）式を満足するように設定される。
【００６７】
【数９】
2005158163.tif 000011
【００６８】
例えば片面２層赤色ＤＶＤ１５ａがＤＶＤ−ＲＯＭの規格に準拠する光ディスクの場合には、λ1＝６５０ｎｍ、ＮＡ1＝０．６、ｎ1＝１．５７９１、ｔ1min＝４０μm、ｔ1max＝７０μm、λ2＝４０５ｎｍ、ｎ2＝１．６２０２を上記（７）式に代入すると、図５（Ａ）に示されるように、開口数が同じであれば、２５μm≦ｔ2≦４３μmとなる。また、例えば片面２層赤色ＤＶＤ１５ａがＤＶＤ＋Ｒ又はＤＶＤ＋ＲＷの規格に準拠する光ディスクの場合には、λ1＝６６０ｎｍ、ＮＡ1＝０．６５、ｎ1＝１．５７９１、ｔ1min＝４０μm、ｔ1max＝６０μm、λ2＝４０５ｎｍ、ｎ2＝１．６２０２を上記（７）式に代入すると、図５（Ｂ）に示されるように、開口数が同じであれば、２４μm≦ｔ2≦３７μmとなる。
【００６９】
前記駆動信号Ａは、対象記録層が、片面２層赤色ＤＶＤ１５ａの第２記録層Ｍ1r又は片面２層青色ＤＶＤ１５ｂの第２記録層Ｍ1bのときに出力される駆動信号である。この場合には、一例として図６（Ａ）に示されるように、凹レンズ５６ａと凸レンズ５６ｂとの間隔はｄa（＜ｄb）となり、対物レンズ６０に入射する光束はやや発散した光束となる。
【００７０】
前記駆動信号Ｂは、対象記録層が、１層赤色ＤＶＤ１５ｃの記録層Ｍr又は１層青色ＤＶＤ１５ｄの記録層Ｍbのときに出力される駆動信号である。この場合には、一例として図６（Ｂ）に示されるように、凹レンズ５６ａと凸レンズ５６ｂとの間隔はｄbとなり、対物レンズ６０に入射する光束はほぼ平行光となる。
【００７１】
前記駆動信号Ｃは、対象記録層が、片面２層赤色ＤＶＤ１５ａの第１記録層Ｍ0r又は片面２層青色ＤＶＤ１５ｂの第１記録層Ｍ0bのときに出力される駆動信号である。この場合には、一例として図６（Ｃ）に示されるように、凹レンズ５６ａと凸レンズ５６ｂとの間隔はｄc（＞ｄb）となり、対物レンズ６０に入射する光束はやや収束した光束となる。
【００７２】
光ディスク１５が前記４種類の光ディスク（片面２層赤色ＤＶＤ１５ａ、片面２層青色ＤＶＤ１５ｂ、１層赤色ＤＶＤ１５ｃ、１層青色ＤＶＤ１５ｄ）のうちのいずれであるかの判別処理は、通常光ディスク１５がマウントされたときにＣＰＵ４０によって行なわれる。また、片面２層赤色ＤＶＤ１５ａ及び片面２層青色ＤＶＤ１５ｂにおいて、対象記録層が第１記録層であるか第２記録層であるかは、指定されたアドレスに基づいてＣＰＵ４０によって判別される。従って、ＣＰＵ４０は、ホストから記録要求又は再生要求があると、光ディスク１５の種類及び対象記録層に応じて３種類の駆動信号（駆動信号Ａ、駆動信号Ｂ、駆動信号Ｃとする）のうちのいずれかを指定する前記切換信号を前記ＳＡコントローラ２７ｄに出力する。また、ＣＰＵ４０は、対象記録層に関する情報を前記ＦＣコントローラ２７ａに通知する。これにより、対物レンズ６０は、対象記録層に合焦するようにフォーカス制御される。
【００７３】
図１に戻り、前記モータ制御回路２６は、ＣＰＵ４０の指示に基づいてスピンドルモータ２２及びシークモータ２１をそれぞれ駆動制御する。
【００７４】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００７５】
前記エンコーダ２５は、ＣＰＵ４０の指示に基づいてバッファＲＡＭ３４に蓄積されている記録用データをバッファマネージャ３７を介して取り出し、データの変調及びエラー訂正コードの付加等を行ない、光ディスク１５への書き込み信号を生成する。ここで生成された書き込み信号はレーザ制御回路２４に出力される。
【００７６】
前記レーザ制御回路２４は、光源ＬＤ１及び光源ＬＤ２から出射されるレーザ光のパワーを制御する。例えば記録の際には、前記書き込み信号、記録条件、及び各光源の発光特性などに基づいて各光源の駆動信号が生成される。なお、レーザ制御回路２４は、ＣＰＵ４０からの光ディスクの種類に関する情報に基づいて制御対象の光源を決定する。
【００７７】
前記インターフェース３８は、ホスト（例えば、パソコン）との双方向の通信インターフェースであり、ＡＴＡＰＩ（AT Attachment Packet Interface）及びＳＣＳＩ（Small Computer System Interface）などの標準インターフェースに準拠している。
【００７８】
前記フラッシュメモリ３９には、ＣＰＵ４０にて解読可能なコードで記述されたプログラム、記録条件及び各光源の発光特性などが格納されている。
【００７９】
前記ＣＰＵ４０は、フラッシュメモリ３９に格納されている上記プログラムに従って前記各部の動作を制御するとともに、制御に必要なデータなどをＲＡＭ４１に保存する。
【００８０】
以上の説明から明らかなように、本実施形態に係る光ディスク装置２０では、ＣＰＵ４０及び該ＣＰＵ４０によって実行されるプログラムと、ＳＡコントローラ２７ｄと、ＳＡドライバ２７ｅと、ビームエキスパンダ５６とによって、切換手段が実現されている。また、ＣＰＵ４０及び該ＣＰＵ４０によって実行されるプログラムとによって、処理装置が実現されている。なお、ＣＰＵ４０による処理の少なくとも一部をハードウェアによって構成することとしても良いし、あるいは全てをハードウェアによって構成することとしても良い。
【００８１】
以上説明したように、本実施形態に係る光ディスク装置２０によると、片面２層赤色ＤＶＤ１５ａ又は片面２層青色ＤＶＤ１５ｂがマウントされ、ホストから記録要求又は再生要求があると、ＣＰＵ４０は対象記録層を判別し、対象記録層が第１記録層のときには、ＳＡコントローラ２７ｄ及びＳＡドライバ２７ｅを介してエキスパンダ５６を構成する不図示のレンズ駆動装置に駆動信号Ｃを出力する。一方、対象記録層が第２記録層のときには、ＣＰＵ４０はＳＡコントローラ２７ｄ及びＳＡドライバ２７ｅを介してレンズ駆動装置に駆動信号Ａを出力する。また、１層赤色ＤＶＤ１５ｃ又は１層青色ＤＶＤ１５ｄがマウントされ、ホストから記録要求又は再生要求があると、ＣＰＵ４０はＳＡコントローラ２７ｄ及びＳＡドライバ２７ｅを介してレンズ駆動装置に駆動信号Ｂを出力する。すなわち、３種類の駆動信号によって６種類の記録層での球面収差を補正することができる。従って、大型化を招くことなく、複数の記録層を有する複数種類の光ディスクへのアクセスを精度良く安定して行うことができる。
【００８２】
また、本実施形態に係る片面２層青色ＤＶＤ１５ｂによると、光ディスク装置２０で用いられると、片面２層赤色ＤＶＤ１５ａと同様にして各記録層における球面収差をそれぞれ低く抑えることができる。すなわち、光ディスク装置２０における球面収差を補正する回路及び処理を片面２層赤色ＤＶＤ１５ａと共通化することが可能となる。従って、結果として複数の記録層を有する複数種類の光ディスクに対応する光ディスク装置の小型化を促進することができる。
【００８３】
なお、上記実施形態において、前記ビームエキスパンダ５６に代えて、透過する光束に光学的位相差を付与する液晶素子（液晶パネル）などを用いても良い。この場合には、対象記録層での球面収差を相殺するような光学的位相差が液晶素子で付与される。
【００８４】
また、上記実施形態では、前記光源ＬＤ１から出射される光束の波長が約６６０ｎｍであり、前記光源ＬＤ２から出射される光束の波長が約４０５ｎｍである場合について説明したが、これに限らず、光源ＬＤ２から出射される光束の波長が約６６０ｎｍであり、光源ＬＤ１から出射される光束の波長が約４０５ｎｍであっても良い。すなわち、ホログラムＨＵから出射される光束の波長が約６６０ｎｍであっても良い。
【００８５】
また、上記実施形態において、前記片面２層赤色ＤＶＤ１５ａ及び前記片面２層青色ＤＶＤ１５ｂにおける各中間層の厚さのばらつきがそれぞれほぼ正規分布となる場合には、次の（８）式が満足されるように前記片面２層青色ＤＶＤ１５ｂの中間層ＭＬbの平均厚さＴ2を設定することにより、上記実施形態と同様な効果を得ることができる。また、これにより、片面２層青色ＤＶＤ１５ｂの生産性を向上させることができる。ここで、Ｔ1は片面２層赤色ＤＶＤ１５ａの中間層ＭＬrの平均厚さである。
【００８６】
【数１０】
2005158163.tif 000012
【００８７】
例えば片面２層赤色ＤＶＤ１５ａがＤＶＤ−ＲＯＭの規格に準拠する光ディスクの場合には、λ1＝６５０ｎｍ、ＮＡ1＝０．６、ｎ1＝１．５７９１、Ｔ1＝５５μm、λ2＝４０５ｎｍ、ｎ2＝１．６２０２を上記（８）式に代入すると、図５（Ａ）に示されるように、開口数が同じであれば、Ｔ2≒３４μmとなる。また、例えば片面２層赤色ＤＶＤ１５ａがＤＶＤ＋Ｒ又はＤＶＤ＋ＲＷの規格に準拠する光ディスクの場合には、λ1＝６６０ｎｍ、ＮＡ1＝０．６５、ｎ1＝１．５７９１、Ｔ1＝５０μm、λ2＝４０５ｎｍ、ｎ2＝１．６２０２を上記（８）式に代入すると、図５（Ｂ）に示されるように、開口数が同じであれば、Ｔ2≒３０μmとなる。
【００８８】
また、前記片面２層青色ＤＶＤ１５ｂに代えて、例えば図７（Ａ）に示されるように、次の（９）式を満足するように第２記録層Ｍ1bが設定されている片面２層青色ＤＶＤ（１５ｂ1とする）を用いても良い。すなわち、第２記録層Ｍ1bから第１基板Ｌ02b表面までの距離が、１層青色ＤＶＤ１５ｄにおける記録層Ｍbから第１基板Ｌ01b表面までの距離とほぼ等しくても良い。ここで、ｄ121は片面２層青色ＤＶＤ１５ｂ1における第２記録層Ｍ1bから第１基板Ｌ02b表面までの距離である。なお、上記実施形態と同様に、ｄ1≒ｄ2≒（ｄ01＋ｄ11）／２である。
ｄ121≒ｄ2  ……（９）
【００８９】
そして、次の（１０）式が満足されるように、この片面２層青色ＤＶＤ１５ｂ1の中間層ＭＬbの厚さｔ21を設定することにより、上記実施形態と同様に、３種類の駆動信号によって６種類の記録層での球面収差を補正することが可能となる。この場合には、対象記録層が片面２層赤色ＤＶＤ１５ａの第２記録層Ｍ1rのときに、前記駆動信号Ａが選択される。また、対象記録層が１層赤色ＤＶＤ１５ｃの記録層Ｍr又は１層青色ＤＶＤ１５ｄの記録層Ｍb又は片面２層青色ＤＶＤ１５ｂ1の第２記録層Ｍ1bのときに、前記駆動信号Ｂが選択される。さらに、対象記録層が片面２層赤色ＤＶＤ１５ａの第１記録層Ｍ0r又は片面２層青色ＤＶＤ１５ｂ1の第１記録層Ｍ0bのときに、前記駆動信号Ｃが選択される。
【００９０】
【数１１】
2005158163.tif 000013
【００９１】
ここで、片面２層赤色ＤＶＤ１５ａ及び片面２層青色ＤＶＤ１５ｂ1の各中間層の厚さのばらつきがそれぞれほぼ正規分布となる場合には、次の（１１）式が満足されるように、片面２層青色ＤＶＤ１５ｂ1の中間層ＭＬbの平均厚さＴ21を設定することにより、上記実施形態と同様な効果を得ることができる。
【００９２】
【数１２】
2005158163.tif 000014
【００９３】
また、前記片面２層青色ＤＶＤ１５ｂに代えて、例えば図７（Ｂ）に示されるように、次の（１２）式を満足するように第１記録層Ｍ0bが設定されている片面２層青色ＤＶＤ（１５ｂ2とする）を用いても良い。すなわち、第１記録層Ｍ0bから第１基板Ｌ02b表面までの距離が、１層青色ＤＶＤ１５ｄにおける記録層Ｍbから第１基板Ｌ01b表面までの距離とほぼ等しくても良い。ここで、ｄ021は片面２層青色ＤＶＤ１５ｂ2における第１基板Ｌ02bの厚さである。なお、上記実施形態と同様に、ｄ1≒ｄ2≒（ｄ01＋ｄ11）／２である。
ｄ021≒ｄ2  ……（１２）
【００９４】
そして、次の（１３）式が満足されるように、この片面２層青色ＤＶＤ１５ｂ2の中間層ＭＬbの厚さｔ22を設定することにより、上記実施形態と同様に、３種類の駆動信号によって６種類の記録層での球面収差を補正することが可能となる。この場合には、対象記録層が片面２層赤色ＤＶＤ１５ａの第２記録層Ｍ1r又は片面２層青色ＤＶＤ１５ｂ2の第２記録層Ｍ1bのときに、前記駆動信号Ａが選択される。また、対象記録層が１層赤色ＤＶＤ１５ｃの記録層Ｍr又は１層青色ＤＶＤ１５ｄの記録層Ｍb又は片面２層青色ＤＶＤ１５ｂ2の第１記録層Ｍ0bのときに、前記駆動信号Ｂが選択される。さらに、対象記録層が片面２層赤色ＤＶＤ１５ａの第１記録層Ｍ0rのときに、前記駆動信号Ｃが選択される。
【００９５】
【数１３】
2005158163.tif 000015
【００９６】
ここで、片面２層赤色ＤＶＤ１５ａ及び片面２層青色ＤＶＤ１５ｂ2の各中間層の厚さのばらつきがそれぞれほぼ正規分布となる場合には、次の（１４）式が満足されるように、片面２層青色ＤＶＤ１５ｂ2の中間層ＭＬbの平均厚さＴ22を設定することにより、上記実施形態と同様な効果を得ることができる。
【００９７】
【数１４】
2005158163.tif 000016
【００９８】
また、上記実施形態では、１層赤色ＤＶＤ１５ｃ及び１層青色ＤＶＤ１５ｄの各第１基板の厚さが互いにほぼ同じ場合について説明したが、これに限定されるものではない。前記１層青色ＤＶＤ１５ｄに代えて、一例として図８（Ａ）に示されるように、第１基板Ｌ01bの厚さ（ｄ21とする）が前記１層赤色ＤＶＤにおける第１基板Ｌ01rの厚さｄ1よりも小さい１層青色ＤＶＤ（１５ｄ1とする）を用いても良い。そして、前記片面２層青色ＤＶＤ１５ｂに代えて、一例として図８（Ｂ）に示されるように、次の（１５）式を満足するように各記録層が設定されている片面２層青色ＤＶＤ（１５ｂ3とする）を用い、次の（１６）式が満足されるように、この片面２層青色ＤＶＤ１５ｂ3の中間層ＭＬbの厚さｔ23を設定することにより、上記実施形態と同様に、３種類の駆動信号によって６種類の記録層での球面収差を補正することが可能となる。この場合には、対象記録層が片面２層赤色ＤＶＤ１５ａの第２記録層Ｍ1r又は片面２層青色ＤＶＤ１５ｂ3の第２記録層Ｍ1bのときに、前記駆動信号Ａが選択される。また、対象記録層が１層赤色ＤＶＤ１５ｃの記録層Ｍrのときに、前記駆動信号Ｂが選択される。さらに、対象記録層が片面２層赤色ＤＶＤ１５ａの第１記録層Ｍ0r又は片面２層青色ＤＶＤ１５ｂ3の第１記録層Ｍ0b又は１層青色ＤＶＤ１５ｄ1の記録層Ｍbのときに、前記駆動信号Ｃが選択される。
【００９９】
ｄ022≒ｄ21  かつ（ｄ022＋ｄ122）／２≒ｄ1  ……（１５）
ｄ022は片面２層青色ＤＶＤ１５ｂ3の第１基板Ｌ02bの厚さであり、ｄ122は片面２層青色ＤＶＤ１５ｂ3における第２記録層Ｍ1bから第１基板Ｌ02b表面までの距離である。なお、上記実施形態と同様に、ｄ1≒（ｄ01＋ｄ11）／２である。
【０１００】
【数１５】
2005158163.tif 000017
【０１０１】
ここで、片面２層赤色ＤＶＤ１５ａ及び片面２層青色ＤＶＤ１５ｂ3の各中間層の厚さのばらつきがそれぞれほぼ正規分布となる場合には、次の（１７）式が満足されるように、片面２層青色ＤＶＤ１５ｂ3の中間層ＭＬbの平均厚さＴ23を設定することにより、上記実施形態と同様な効果を得ることができる。
【０１０２】
【数１６】
2005158163.tif 000018
【０１０３】
さらに、前記１層青色ＤＶＤ１５ｄに代えて、一例として図９（Ａ）に示されるように、第１基板Ｌ01bの厚さ（ｄ22とする）が前記１層赤色ＤＶＤにおける第１基板Ｌ01rの厚さｄ1よりも大きい１層青色ＤＶＤ（１５ｄ2とする）を用いても良い。そして、前記片面２層青色ＤＶＤ１５ｂに代えて、一例として図９（Ｂ）に示されるように、次の（１８）式を満足するように各記録層が設定されている片面２層青色ＤＶＤ（１５ｂ4とする）を用い、次の（１９）式が満足されるように、この片面２層青色ＤＶＤ１５ｂ4の中間層ＭＬbの厚さｔ24を設定することにより、上記実施形態と同様に、３種類の駆動信号によって６種類の記録層での球面収差を補正することが可能となる。この場合には、対象記録層が片面２層赤色ＤＶＤ１５ａの第２記録層Ｍ1r又は片面２層青色ＤＶＤ１５ｂ4の第２記録層Ｍ1b又は１層青色ＤＶＤ１５ｄ2の記録層Ｍbのときに、前記駆動信号Ａが選択される。また、対象記録層が１層赤色ＤＶＤ１５ｃの記録層Ｍrのときに、前記駆動信号Ｂが選択される。さらに、対象記録層が片面２層赤色ＤＶＤ１５ａの第１記録層Ｍ0r又は片面２層青色ＤＶＤ１５ｂ4の第１記録層Ｍ0bのときに、前記駆動信号Ｃが選択される。
【０１０４】
ｄ123≒ｄ22  かつ（ｄ023＋ｄ123）／２≒ｄ1  ……（１８）
ｄ023は片面２層青色ＤＶＤ１５ｂ4における第１基板Ｌ02bの厚さであり、ｄ123は片面２層青色ＤＶＤ１５ｂ4における第２記録層Ｍ1bから第１基板Ｌ02b表面までの距離である。なお、上記実施形態と同様に、ｄ1≒（ｄ01＋ｄ11）／２である。
【０１０５】
【数１７】
2005158163.tif 000019
【０１０６】
ここで、片面２層赤色ＤＶＤ１５ａ及び片面２層青色ＤＶＤ１５ｂ4の各中間層の厚さのばらつきがそれぞれほぼ正規分布となる場合には、次の（２０）式が満足されるように、片面２層青色ＤＶＤ１５ｂ4の中間層ＭＬbの平均厚さＴ24を設定することにより、上記実施形態と同様な効果を得ることができる。
【０１０７】
【数１８】
2005158163.tif 000020
【０１０８】
また、上記実施形態では、青色ＤＶＤ用光束に対する対物レンズ６０の開口数が０．６５の場合について説明したが、これに限定されるものではない。
【０１０９】
また、上記実施形態では、情報の記録及び再生が可能な光ディスク装置について説明したが、これに限らず、情報の記録、再生、及び消去のうち少なくとも再生が可能な光ディスク装置であれば良い。
【０１１０】
また、上記実施形態では、光ディスク装置２０が４種類の光ディスクに対応する場合について説明したが、これに限定されるものではない。例えば３種類の光ディスク（片面２層赤色ＤＶＤ１５ａ、片面２層青色ＤＶＤ１５ｂ、及び１層青色ＤＶＤ１５ｄ）に対応しても良い。この場合に、１層青色ＤＶＤ１５ｄの記録層から基板表面までの距離を前記ｄ02又は前記ｄ12とほぼ等しくすることにより、前記レンズ駆動装置の駆動信号として、２種類の駆動信号（駆動信号Ａ及び駆動信号Ｃ）で対応可能となる。すなわち、２種類の駆動信号によって５種類の記録層での球面収差を補正することができる。
【０１１１】
また、例えば３種類の光ディスク（片面２層赤色ＤＶＤ１５ａ、片面２層青色ＤＶＤ１５ｂ、及び１層赤色ＤＶＤ１５ｃ）に対応しても良い。この場合に、１層赤色ＤＶＤ１５ｃの記録層から基板表面までの距離を前記ｄ01又は前記ｄ11とほぼ等しくすることにより、前記レンズ駆動装置の駆動信号として、２種類の駆動信号（駆動信号Ａ及び駆動信号Ｃ）で対応可能となる。すなわち、２種類の駆動信号によって５種類の記録層での球面収差を補正することができる。
【０１１２】
また、例えば２種類の光ディスク（片面２層赤色ＤＶＤ１５ａ及び片面２層青色ＤＶＤ１５ｂ）に対応しても良い。この場合には、前記レンズ駆動装置の駆動信号として、２種類の駆動信号（駆動信号Ａ及び駆動信号Ｃ）で対応可能となる。すなわち、２種類の駆動信号によって４種類の記録層での球面収差を補正することができる。
【０１１３】
また、上記実施形態では、光ディスク装置２０が２つの光源（光源ＬＤ１と光源ＬＤ２）を備える場合について説明したが、これに限らず、例えば波長が約７８０ｎｍの光束を出射する光源を更に備えても良い。これにより、ＣＤの規格に準拠する光ディスクにも対応することが可能となる。
【０１１４】
また、波長が約４０５ｎｍの光束を出射する光源のみを備える光ディスク装置の場合に、片面２層青色ＤＶＤにおける第１記録層から基板表面までの距離又は第２記録層から基板表面までの距離が、１層青色ＤＶＤにおける記録層から基板表面までの距離とほぼ等しくなるように設定することにより、２種類の駆動信号によって３種類の記録層での球面収差を補正することが可能となる。
【図面の簡単な説明】
【０１１５】
【図１】本発明の一実施形態に係る光ディスク装置の構成を示すブロック図である。
【図２】図２（Ａ）は片面２層赤色ＤＶＤの構造を説明するための図であり、図２（Ｂ）は本発明の一実施形態に係る光ディスクとしての片面２層青色ＤＶＤの構造を説明するための図である。
【図３】図３（Ａ）は１層赤色ＤＶＤの構造を説明するための図であり、図３（Ｂ）は１層青色ＤＶＤの構造を説明するための図である。
【図４】図１における光ピックアップ装置の構成を説明するための図である。
【図５】図５（Ａ）は片面２層赤色ＤＶＤがＤＶＤ−ＲＯＭのときの片面２層青色ＤＶＤにおける中間層の厚さの計算結果であり、図５（Ｂ）は片面２層赤色ＤＶＤがＤＶＤ＋Ｒ又はＤＶＤ＋ＲＷのときの片面２層青色ＤＶＤにおける中間層の厚さの計算結果である。
【図６】図６（Ａ）〜図６（Ｃ）は、それぞれビームエキスパンダにおけるレンズ間隔と対物レンズに入射する光束の発散状態との関係を説明するための図である。
【図７】図７（Ａ）及び図７（Ｂ）は、それぞれ片面２層青色ＤＶＤの別の構成例を説明するための図である。
【図８】図８（Ａ）及び図８（Ｂ）は、それぞれ１層青色ＤＶＤの基板の厚さが１層赤色ＤＶＤの基板の厚さよりも小さいときの、片面２層青色ＤＶＤの構造を説明するための図である。
【図９】図９（Ａ）及び図９（Ｂ）は、それぞれ１層青色ＤＶＤの基板の厚さが１層赤色ＤＶＤの基板の厚さよりも大きいときの、片面２層青色ＤＶＤの構造を説明するための図である。
【符号の説明】
【０１１６】
１５…光ディスク、１５ａ…片面２層赤色ＤＶＤ（第１の光ディスク）、１５ｂ…片面２層青色ＤＶＤ（光ディスク）、１５ｃ…１層赤色ＤＶＤ（第２の光ディスク）、１５ｄ…１層青色ＤＶＤ（第２の光ディスク）、２０…光ディスク装置、２７ｄ…ＳＡコントローラ（切換手段の一部）、２７ｅ…ＳＡドライバ（切換手段の一部）、４０…ＣＰＵ（切換手段の一部、処理装置）、５６…ビームエキスパンダ（切換手段の一部）、６０…対物レンズ、ＬＤ１、ＬＤ２…光源、ＰＤ１、ＰＤ２…受光器、Ｍ0b…第１記録層、Ｍ1b…第２記録層、ＭＬb、ＭＬr…中間層。
【図１】
2005158163.tif 000026
【図２】
2005158163.tif 000027
【図３】
2005158163.tif 000028
【図４】
2005158163.tif 000029
【図５】
2005158163.tif 000030
【図６】
2005158163.tif 000031
【図７】
2005158163.tif 000032
【図８】
2005158163.tif 000033
【図９】
2005158163.tif 000034